(57)【要約】      （修正有）【課題】蓋体を開放した後、自動的に係合解除部材が所定の位置に戻るようにするとともに、持ち運びの際に係合解除部材が自由に移動することがなく、衝突音を発生させることがない蓋付き容器を提供する。【解決手段】容器本体２の後端側に揺動部６を介して開閉可能に取り付けられ、かつ、容器本体２と前端側で係合部５を介して係合するようにした蓋体３を備え、係合部５を構成する係合片３０と当接する当接部４０を形成した係合解除部材４と、当接部４０の移動により付勢される弾性部材Ｅとを備え、前記係合解除部材４を蓋体３が開く方向と直交する方向に移動操作可能に配設し、係合解除部材４の当接部４０及び当接部４０と当接する係合片３０の当接箇所を、係合解除部材４を移動操作することにより係合片３０を蓋体３が開く方向に移動させて係合部５の係合状態を解除する。【選択図】図１
0003178726.tif 000002
【実用新案登録請求の範囲】
【請求項１】
容器本体の後端側に揺動部を介して開閉可能に取り付けられ、かつ、容器本体と前端側で係合部を介して係合するようにした蓋体を備えた蓋付き容器において、前記係合部を構成する係合片と当接する当接部を形成した係合解除部材と、該当接部の移動に伴って付勢される弾性部材とを備え、前記係合解除部材を蓋体が開く方向と直交する方向に移動操作可能に配設し、該係合解除部材の当接部及び該当接部と当接する係合片の当接箇所の少なくとも一方を、係合解除部材を移動操作することにより係合片を蓋体が開く方向に移動させて前記係合部の係合状態を解除する傾斜面に形成してなることを特徴とする蓋付き容器。
【請求項２】
前記係合解除部材と弾性部材とを一体に形成してなることを特徴とする請求項１記載の蓋付き容器。
【請求項３】
前記傾斜面を、係合解除部材を移動操作することにより係合片を蓋体が開く方向で、かつ、前記係合部の係合状態を解除する方向に移動させる形状に形成してなることを特徴とする請求項１又は２記載の蓋付き容器。
【考案の詳細な説明】
【技術分野】
【０００１】
本考案は、蓋付き容器に関し、特に、化粧品容器等の開閉可能な蓋を備えた蓋付き容器に関するものである。
【背景技術】
【０００２】
従来、化粧品用の容器等において、開閉可能な蓋を備えた蓋付き容器が用いられている（例えば、特許文献１参照。）。
【０００３】
ところで、この種の蓋付き容器は、容器本体の後端側に揺動部を介して開閉可能に取り付けられた蓋を、容器本体と前端側で係合部を介して係合することにより、不使用時に蓋が開かないようにしている。
【０００４】
そして、蓋付き容器の蓋体を開く際には、係合解除部材を操作することによって、係合部となる容器本体側の係合爪と、蓋体側の係合爪との係合を解除し、蓋体を開放するようにしている。
【０００５】
ところで、通常、係合解除部材の操作方法は、係合解除部材を押し込んで解除するように構成されているため、ハンドバッグや化粧用ポーチの中で、内容物の移動等によって係合解除部材が押し込まれると、不用意に蓋体の係合状態が解除され、蓋体が開いてしまうことがあるという問題があった。
【０００６】
かかる問題に対処するため、係合解除部材を容器本体の側壁に沿った水平方向に移動させ、係合を解除する蓋付き容器が提案されている（例えば、特許文献２〜３参照。）。
【０００７】
この蓋付き容器は、容器本体の側壁の前部に横溝を形成し、この横溝に摺動可能に摺動杆を配設し、この摺動杆の進行方向の先端に、蓋体を閉じた状態で蓋体から垂下される係合爪を形成した係合片に向けて順次高さを低減させた係合片に臨む傾斜面を形成するようにしている。
そして、摺動杆を係合片に向かって移動させ、係合片の下方から傾斜面の先端を嵌入するようにして係合片を上方に押し上げて係合を解除するようにしている。
【０００８】
ところで、この係合解除部材は、側壁の前端部の横溝内に摺動可能に遊嵌されているため、係合状態を解除した後、横溝内での位置が定まらず、蓋体を閉じるときにスムーズに蓋体を閉じることができない場合があるとともに、蓋体を閉じてハンドバッグや化粧用ポーチに入れて持ち歩くときに横溝内を自由に移動し、衝突音が発生するという問題があった。
【先行技術文献】
【特許文献】
【０００９】
【特許文献１】実用新案登録第２５８０７５９号公報
【特許文献２】実開昭６２−１０９００６号公報
【特許文献３】実公平０６−２５６２号公報
【考案の概要】
【考案が解決しようとする課題】
【００１０】
本考案は、上記従来の蓋付き容器の有する問題点に鑑み、係合解除部材を側壁に沿って移動させ係合部の係合状態を解除する蓋付き容器において、蓋体を開放した後、自動的に係合解除部材が所定の位置に戻るようにするとともに、持ち運びの際に係合解除部材が自由に移動することがなく、衝突音を発生させることがない蓋付き容器を提供することを目的とする。
【課題を解決するための手段】
【００１１】
上記目的を達成するため、本考案の蓋付き容器は、容器本体の後端側に揺動部を介して開閉可能に取り付けられ、かつ、容器本体と前端側で係合部を介して係合するようにした蓋体を備えた蓋付き容器において、前記係合部を構成する係合片と当接する当接部を形成した係合解除部材と、該当接部の移動に伴って付勢される弾性部材とを備え、前記係合解除部材を蓋体が開く方向と直交する方向に移動操作可能に配設し、該係合解除部材の当接部及び該当接部と当接する係合片の当接箇所の少なくとも一方を、係合解除部材を移動操作することにより係合片を蓋体が開く方向に移動させて前記係合部の係合状態を解除する傾斜面に形成してなることを特徴とする。
【００１２】
この場合において、前記係合解除部材と弾性部材とを一体に形成することができる。
【００１３】
また、前記傾斜面を、係合解除部材を移動操作することにより係合片を蓋体が開く方向で、かつ、前記係合部の係合状態を解除する方向に移動させる形状に形成することができる。
【考案の効果】
【００１４】
本考案の蓋付き容器によれば、係合部を構成する係合片と当接する当接部を形成した係合解除部材と、該当接部の移動に伴って付勢される弾性部材とを備え、前記係合解除部材を蓋体が開く方向と直交する方向に移動操作可能に配設し、該係合解除部材の当接部及び該当接部と当接する係合片の当接箇所の少なくとも一方を、係合解除部材を移動操作することにより、係合解除部材を、前記係合部の係合状態を解除する傾斜面が作用する方向に移動操作して係合部の係合状態を解除することができる。そして、係合部の係合状態を解除された後に、係合解除部材を離すと、係合解除部材によって付勢されていた弾性部材が復元して当接部は自動的に初期位置に復帰し、蓋体をスムーズに閉じることができるとともに、蓋体の開閉状態にかかわらず、係合解除部材は自由に動くことがなく、衝突音が発生することがない。
【００１５】
また、前記係合解除部材と弾性部材とを一体に形成することにより、部材の成形を簡易に行うことができるとともに、部材の組み立ての際の作業性を良好にすることができる。
【００１６】
また、この場合、傾斜面を、係合解除部材を移動操作することにより係合片を蓋体が開く方向で、かつ、前記係合部の係合状態を解除する方向に移動させる形状に形成することにより、係合片は係合解除部材の移動方向に向かって傾くことなく係合部の係合解除方向にスムーズに移動するようにすることができる。
【図面の簡単な説明】
【００１７】
【図１】本考案の蓋付き容器の一実施例を示し、（ａ）は蓋体を開放した状態の平面図、（ｂ）は蓋体を閉じた状態の正面図、（ｃ）は（ｂ）の一部切り欠きのＸ−Ｘ断面図である。
【図２】同蓋付き容器を示し、（ａ）は容器本体の前部側壁部分の一部切り欠きの拡大図、（ｂ）は蓋体を閉じた状態における（ａ）のＹ−Ｙ断面図である。
【図３】同蓋付き容器の係合解除部材を示し、（ａ）は傾斜面を２箇所に形成した斜視図、（ｂ）は傾斜面を２箇所に形成した変形例の斜視図、（ｃ）は傾斜面を１箇所に形成した斜視図である。
【図４】同蓋付き容器の開閉動作を示す説明図で、（ａ）は蓋体を閉じた状態を、（ｂ）は係合解除部材を移動操作して係合部の係合状態を解除した状態を示す。
【図５】同蓋付き容器の係合解除部材及び係合片のそれぞれ１箇所に傾斜面を形成した場合の開閉動作を示す説明図で、（ａ）は蓋体を閉じた状態を、（ｂ）は係合解除部材を移動操作して係合部の係合状態を解除した状態を示す。
【考案を実施するための形態】
【００１８】
以下、本考案の蓋付き容器の実施の形態を、図面に基づいて説明する。
【実施例１】
【００１９】
図１〜図５に、本考案の蓋付き容器の一実施例を示す。
この蓋付き容器１は、容器本体２の後端側に揺動部６を介して開閉可能に取り付けられ、かつ、容器本体２と前端側で係合部５を介して係合するようにした蓋体３を備え、係合部５を構成する蓋体３に設けられた係合片３０と当接する当接部４０を形成した係合解除部材４と、当接部４０の移動に伴って付勢される弾性部材Ｅとを備え、前記係合解除部材４を、容器本体２の前部側壁２０に沿って蓋体３が開く方向と直交する方向に移動操作可能に配設し、係合解除部材４の当接部４０及び当接部４０と当接する係合片３０の当接箇所を、係合解除部材４を移動操作することにより係合片３０を蓋体３が開く方向に移動させて係合部５の係合状態を解除する傾斜面３０ａ、４０ａに形成するようにしている。
【００２０】
ところで、本実施例において、係合部５を構成する係合片３０を、蓋体３側に設けるようにしているが、容器本体２側に設けるようにすることもでき、この場合は、係合解除部材４は蓋体３の前部側壁に沿って蓋体３が開く方向と直交する方向に移動操作可能に配設する必要があるため、後述する、容器本体２の前部側壁２０に形成する係合解除部材４及び弾性部材Ｅを装着する空間Ａも蓋体３側に形成することとなる。
【００２１】
また、係合片３０及び係合解除部材４は、揺動部６と対向する前部でなく、側部に設けるようにすることもできる。
【００２２】
また、係合解除部材４と弾性部材Ｅとを一体に形成するようにしている。
具体的には、図３に示すように、傾斜面４０ａに形成した係合解除部材４の当接部４０から延設されるように一体に形成される弾性部４１を弾性部材Ｅとなるようにしている。
なお、弾性部材Ｅとして、圧縮バネや板バネ等を利用して、係合解除部材４と、後述する空間Ａの規制壁２１とに当接させて、係合解除部材４と共に空間Ａに装着するようにすることもできる。
【００２３】
揺動部６は、容器本体２及び蓋体３の後端側に形成した揺動部６Ａ、６Ｂから構成される。
そして、この揺動部６Ａ、６Ｂに形成した孔部を一致させこの孔部に枢軸を嵌入することで容器本体２に対して蓋体３が揺動自在となるように構成されている。
なお、容器本体２と蓋体３との枢着構造は、凹凸状の嵌合構造とすることもできる。
【００２４】
容器本体２は、前部側壁２０を内側側壁２０Ａと外側側壁２０Ｂの２段に形成するとともに、両側壁間に係合解除部材４の弾性部４１又は当接部４０が当接する規制壁２１を形成し、内側側壁２０Ａ、外側側壁２０Ｂ及び規制壁２１、２１によって囲まれた空間Ａ内に係合解除部材４の当接部４０及び弾性部４１を装着するようにしている。
また、内側側壁２０Ａには、係合部５のうち、容器本体２に形成する係合爪５Ａを形成し、外側側壁２０Ｂには、係合解除部材４を移動操作する操作部４２と当接部４０及び弾性部４１を連結する連結部４３の上方からの通過と、操作部４２の容器本体２の前部側壁２０に沿って蓋体３が開く方向と直交する方向への移動量を規制する逆Ｔ字状の切欠溝部２２を係合爪５Ａと対向する位置に形成するようにしている。
【００２５】
また、この容器本体２の内側に形成された収納部に、化粧品や化粧品塗布用のパフ等が収納される複数の収納凹部２５Ａが形成された中枠２５を装着するようにしている。
【００２６】
この中枠２５は、内側側壁２０Ａの係合爪５Ａが形成される位置に、蓋体３の係合片３０が通過することができる開口部２５Ｂを形成するとともに、切欠溝部２２の上部の開口に挿入される係合部２５Ｃを備え（図１（ｃ）参照。）、蓋体３を開放したときに係合解除部材４の連結部４３が切欠溝部２２から脱落することを防止するようにしている。
【００２７】
係合解除部材４の当接部４０及び当接部４０と当接する係合片３０の当接箇所は、本実施例においては、係合解除部材４の押圧による係合片３０の移動をよりスムーズに行うことができるように、それぞれ傾斜面３０ａ、４０ａとなるように形成しているが、少なくとも一方を、傾斜面に形成することで係合解除部材４を移動操作することにより係合片３０を蓋体３が開く方向に移動させて係合部５の係合状態を解除するようにすることもできる。
【００２８】
蓋体３に設けられた係合片３０の当接部４０との当接箇所となる傾斜面３０ａは、図２（ｂ）に示すように、係合片３０の下端部の左右両側に略Ｖ字状となるように、すなわち、作用面が係合解除部材４が移動操作される方向に下方に突出した傾斜面に形成するようにしている。
この傾斜面３０ａは、図５（ｂ）に示すように、係合片３０の下端部の一方のみに形成することもできる。
また、傾斜面３０ａは、図２（ａ）に示すように、水平面で切断したとき、外側に向く傾斜面成分を備えた形状に形成するようにしている。
そして、この係合片３０の内側（裏面側）には、蓋体３を閉じたときに容器本体２の内側側壁２０Ａに形成した係合爪５Ａと係合する係合爪５Ｂを形成するようにしている。
また、蓋体３の内面側には、必要に応じて鏡を配設するようにしている。
【００２９】
係合解除部材４の当接部４０は、係合片３０の傾斜面３０ａに当接して蓋体３を開放する方向に移動させる傾斜面４０ａを、係合片３０の左右両側に形成した傾斜面３０ａに対応するように略Ｖ字状となるように、すなわち、作用面が係合解除部材４が移動操作される方向に下方に窪んだ傾斜面に形成するようにしており、これによって、係合解除部材４を左右のいずれに移動させても係合部５による係合を解除することができるようにしている。
この傾斜面４０ａは、図５（ｂ）に示すように、係合片３０の下端部の一方のみに傾斜面３０ａを形成するときは、傾斜面に３０ａに対応するように一方のみに形成すればよい。
また、傾斜面４０ａは、図２（ａ）に示すように、水平面で切断したとき、内側に向く傾斜面成分を備えた形状に形成するようにしている。すなわち、図３に示すように、傾斜面４０ａは、傾斜面４０ａの後端縁Ｚａが、これと対応する位置の前端縁Ｚｂより高位置になるように形成されるようにしている。
【００３０】
傾斜面４０ａの当接部４０の移動方向と直交する幅寸法は、本実施例においては、図１（ｃ）及び図３（ａ）に示すように、係合片３０の幅寸法と略同一の寸法としているが、図３（ｂ）及び（ｃ）に示すように、弾性部４１の幅寸法（規制壁２１の幅寸法）と同一となるようすることもできる。
【００３１】
そして、傾斜面３０ａ、４０ａを、上記の形状とすることによって、すなわち、動作原理的には、傾斜面３０ａ、４０ａに、係合解除部材４の移動操作によって、係合片３０を上向き（蓋体３が開く方向）に移動させる傾斜面成分と、係合片３０の係合爪５Ｂが容器本体２の係合爪５Ａから水平方向に離間する方向（係合部５の係合状態を解除する方向）に移動させる傾斜面成分とを持たせる（傾斜面３０ａ、４０ａを、両傾斜面成分を合成した傾斜面に形成する）ことによって、係合解除部材４を移動操作することにより、係合片３０を蓋体３が開く方向で、かつ、係合部５の係合状態を解除する方向に移動させることができるようにしている。
この場合、傾斜面３０ａ、４０ａの少なくとも一方を、傾斜面に形成することでよいことは、上記のとおりである。
【００３２】
係合解除部材４を移動操作する操作部４２は、当接部４０と連結部４３を介して連結され、連結部４３を前部側壁２０に形成した逆Ｔ字状の切欠溝部２２に装着したとき、前部側壁２０に沿うように外部から移動操作可能となるようにしている。
【００３３】
弾性部４１は、本実施例においては、当接部４０を挟んで両側に設け、係合解除部材４を左右のいずれに移動させても付勢（圧縮）され、移動操作して係合部５の係合状態を解除した後、復元して当接部４０を自動的に初期位置に復帰させるようにしている。
また、弾性部４１の形状は、特に限定されるものではなく、本実施例においては、当接部４０、操作部４２及び連結部４３と一体に形成し、薄板状で上下に円弧状に屈曲させ、端部を当接部４０の移動方向に対して直交する方向に向け、端部を当接部４０側に向けて付勢すると撓み、付勢を解除すると復元するように構成されている。
また、弾性部４１、４１の両端部間の距離Ｌを、容器本体２の前部側壁２０に形成した規制壁２１、２１間の距離Ｗと同一又は若干大として、当接部４０と弾性部４１、４１とが、内側側壁２０Ａ、外側側壁２０Ｂ及び規制壁２１によって囲まれた空間Ａ内に装着したときに、係合解除部材４が自由に移動しないようにしている。
本実施例においては、弾性部４１、４１は、規制壁２１、２１に対して当接させているだけで、係合解除部材４を移動させたとき移動方向の後側の弾性部４１は、図４（ｂ）に示すように、規制壁２１から離間するようにしているが、規制壁２１と当接する弾性部４１の端部を規制壁２１にねじ止め等することで固定するようにすることができる。
弾性部４１の端部を規制壁２１に固定することで、係合解除部材４を移動させたときに移動方向の後側の弾性部４１が付勢（伸張）され、係合部５の係合状態を解除した後の当接部４０の初期位置への復元をより確実に行うことができる。また、係合解除部材４が容器本体２から脱落することを防止することもできる。
なお、係合片３０の一方の側面にのみ傾斜面３０ａを形成する場合には、図３（ｃ）に示すように、弾性部４１は当接部４０の進行方向の一方の側に形成するようにしている。
【００３４】
次に、この蓋付き容器１の開閉動作について、図４に基づいて説明する。
【００３５】
図４（ａ）に示すように、使用しないときは、容器本体２に蓋体３を係合部５の係合爪５Ａ、５Ｂを係合させ、蓋体３を閉じた状態で保管する。
このとき、係合解除部材４は、容器本体２の規制壁２１、２１に弾性部４１、４１の端部が当接し、ハンドバッグや化粧用ポーチに入れて持ち歩いても空間Ａ内で自由に移動することがなく、衝突音が発生することがない。
【００３６】
次に、図４（ｂ）に示すように、蓋体３を開ける際には、容器本体２の前部側壁２０から露出した操作部４２を、前部側壁２０に沿うように左右のいずれかに移動させる（本実施例においては、右側に移動させている。）。
操作部４２の移動に伴って、傾斜面４０ａに形成した当接部４０が係合片３０の傾斜面３０ａに当接し、さらなる移動によって横方向の押圧力が発生し、その上向きの分力が傾斜面３０ａに作用し、係合片３０を蓋体３が開放する方向に移動させ、係合爪５Ａ、５Ｂの係合が解除され、蓋体３を開放することができる。
このとき、傾斜面４０ａを、係合解除部材４を移動操作することにより係合片３０を係合部５の係合状態を解除する方向（係合片３０の係合爪５Ｂが容器本体２の係合爪５Ａから水平方向に離間する方向）に移動させる形状に形成しているから、係合片３０は係合解除部材４の移動方向に向かって傾くことなく、係合部５の係合状態を解除する方向にスムーズに移動する。
そして、係合部５の係合を解除した後に、係合解除部材４は、付勢（圧縮）されている弾性部４１（弾性部材Ｅ）が復元することで、自動的に初期位置に復帰し、蓋体３をスムーズに閉じることができる。
【００３７】
また、図５（ａ）〜図５（ｂ）に示すように、当接部４０に形成する傾斜面４０ａを１箇所とするときは、空間Ａ内で一方の規制壁２１に弾性部４１が、他方の規制壁２１に当接部４０の傾斜面４０ａを形成しない鉛直面が当接し、操作部４２の移動方向は一方の方向に限定されるだけで、係合解除部材４として、係合部５の係合を解除する作用効果は、図４（ａ）〜図４（ｂ）に示す場合と同様である。
【００３８】
以上、本考案の蓋付き容器について、その実施例に基づいて説明したが、本考案は上記実施例に記載した構成に限定されるものではなく、その趣旨を逸脱しない範囲において適宜その構成を変更することができるものである。
【産業上の利用可能性】
【００３９】
本考案の蓋付き容器は、係合解除部材を側壁に沿って移動させ係合部の係合状態を解除する蓋付き容器において、蓋体を開放した後、自動的に係合解除部材が所定の位置に戻るようにするとともに、持ち運びの際に係合解除部材が自由に移動することがないことから、化粧品用、特にハンドバッグや化粧用ポーチに入れて持ち運ぶ化粧品容器として好適に用いることができる。
【符号の説明】
【００４０】
１    蓋付き容器
２    容器本体
２０  前部側壁
３    蓋体
３０  係合片
３０ａ  傾斜面
４    係合解除部材
４０  当接部
４０ａ  傾斜面
４１  弾性部
Ｅ    弾性部材
【図１】
0003178726.tif 000003
【図２】
0003178726.tif 000004
【図３】
0003178726.tif 000005
【図４】
0003178726.tif 000006
【図５】
0003178726.tif 000007